(57)【要約】      （修正有）【課題】加熱調理用の複数の鍋本体と蓋体のセットであり、多用途に使用可能な調理鍋セットを提供する。【解決手段】円形の開口部を有する深底の大鍋本体１と、円形の開口部を有する浅底の小鍋本体２と、円形の開口部を有する皿状の蓋体３により構成され、小鍋本体２の開口部２ａを蓋体３により施蓋した第１使用態様と、大鍋本体１の開口部１ａを蓋体３により施蓋した第２使用態様と、大鍋本体１小鍋本体２を相互に開口部１ａ，２ａを突き合わせた第３使用態様を選択可能にすると共に、何れの使用態様においても内部空間を好適に密閉するように構成しており、更に、開口部を突き合わせた大鍋本体１と小鍋本体２の間に蓋体３を格納した不使用保管態様を可能にするように構成されている。【選択図】図１
0003193721.tif 000002
【実用新案登録請求の範囲】
【請求項１】
円形の開口部を有する深底の大鍋本体(1)と、円形の開口部を有する浅底の小鍋本体(2)と、円形の開口部を有する皿状の蓋体(3)により構成され、小鍋本体(2)の開口部(2a)を蓋体(3)により施蓋した第１使用態様(U1)と、大鍋本体(1)の開口部(1a)を蓋体(3)により施蓋した第２使用態様(U2)と、大鍋本体(1)と小鍋本体(2)を相互に開口部(1a)(2a)を突き合わせた第３使用態様(U3)を選択可能とする調理鍋セットであり、
円形とされた大鍋本体と小鍋本体と蓋体の径方向Ｒと軸方向Ｘに関して、
大鍋本体(1)は、内径Ｒ２とされた開口縁部により外径Ｒ１とされた座部(4)を形成すると共に、前記内径Ｒ２とされた座部の内周部に軸方向Ｘに延びる嵌合面(5)を形成し、
小鍋本体(2)は、内径Ｒ６とされた開口縁部により外径Ｒ５とされた突壁(7)を形成すると共に、該突壁の外周部の軸方向Ｘに偏位した位置に外径Ｒ４とされた座部(8)を形成し、前記突壁(7)の外径Ｒ５をＲ５≦Ｒ２かつＲ２−Ｒ５＜Ｒ１−Ｒ２に形成しており、
前記第３使用態様(U3)において、小鍋本体(2)の突壁(7)を大鍋本体(1)の嵌合面(5)に内嵌すると共に、両鍋本体の座部(4)(8)を相互に当接するように構成して成ることを特徴とする調理鍋セット。
【請求項２】
円形の開口部を有する深底の大鍋本体(1)と、円形の開口部を有する浅底の小鍋本体(2)と、円形の開口部を有する皿状の蓋体(3)により構成され、小鍋本体(2)の開口部(2a)を蓋体(3)により施蓋した第１使用態様(U1)と、大鍋本体(1)の開口部(1a)を蓋体(3)により施蓋した第２使用態様(U2)と、大鍋本体(1)と小鍋本体(2)を相互に開口部(1a)(2a)を突き合わせた第３使用態様(U3)を選択可能とする調理鍋セットであり、
円形とされた大鍋本体と小鍋本体と蓋体の径方向Ｒと軸方向Ｘに関して、
大鍋本体(1)は、内径Ｒ２とされた開口縁部により外径Ｒ１とされた座部(4)を形成すると共に、前記内径Ｒ２とされた座部の内周部に軸方向Ｘに延びる嵌合面(5)を形成し、更に、該嵌合面から内側に向けて内径Ｒ３とされた段部(6)を形成し、
小鍋本体(2)は、内径Ｒ６とされた開口縁部により外径Ｒ５とされた突壁(7)を形成すると共に、該突壁の外周部の軸方向Ｘに偏位した位置に外径Ｒ４とされた座部(8)を形成し、前記突壁(7)の外径Ｒ５をＲ５≦Ｒ２かつＲ２−Ｒ５＜Ｒ１−Ｒ２に形成しており、
蓋体(3)は、内径Ｒ９とされた開口縁部により外径Ｒ８とされた突条(9)を形成し、
該突条の外周部の軸方向Ｘに偏位した位置に外径Ｒ７とされた載置部(11)を形成すると共に、該外径Ｒ７とされた載置部(11)の外周面により被嵌周条(10)を形成し、
前記突条(9)の外径Ｒ８をＲ８≦Ｒ６かつＲ８≦Ｒ３に形成すると共に、前記被嵌周条(10)の外径Ｒ７をＲ７≦Ｒ２に形成しており、
前記第１使用態様(U1)において、蓋体(3)の突条(9)を小鍋本体(2)の突壁(7)に内嵌すると共に、蓋体(3)の載置部(11)を小鍋本体(2)の突壁(7)に載置するように構成し、
前記第２使用態様(U2)において、蓋体(3)の被嵌周条(10)を大鍋本体(1)の嵌合面(5)に内嵌すると共に、蓋体(3)の載置部(11)を大鍋本体(1)の段部(6)に載置するように構成し、
前記第３使用態様(U3)において、小鍋本体(2)の突壁(7)を大鍋本体(1)の嵌合面(5)に内嵌すると共に、両鍋本体の座部(4)(8)を相互に当接するように構成して成ることを特徴とする調理鍋セット。
【請求項３】
不使用状態において、開口部を突き合わせた大鍋本体(1)と小鍋本体(2)の間に蓋体(3)を格納するように構成されており、格納された蓋体(3)の被嵌周条(10)を大鍋本体(1)の嵌合面(5)に内嵌すると共に段部(6)に係止するように構成して成ることを特徴とする請求項２に記載の調理鍋セット。
【考案の詳細な説明】
【技術分野】
【０００１】
本考案は、調理鍋セットに関し、特に、加熱調理用の複数の鍋本体と蓋体のセットであり、例えば、無水調理の他、焼く、煮る、茹でる、揚げる等々の多用途に使用可能な調理鍋セットに関する。
【背景技術】
【０００２】
従来、分厚いアルミ合金製の鍋本体を備えた無水調理鍋が提供されており、無水鍋（登録商標）と称されている。
【０００３】
このような無水調理鍋は、蒸気が逃げ難いように形成された分厚いアルミ合金製の鍋の特性を生かすことにより、食材に含まれている水分だけで、水を加えずに調理する無水調理に適しており、蒸す・煮る・炊飯・蒸し焼きの他、炒める・焼く・揚げる等の用途に広く対応できるものとして利用されている。
【０００４】
この際、調理の多用途化を図るためには、浅底の小鍋本体と、深底の大鍋本体と、蓋体から成るセットを提供し、大鍋本体と小鍋本体を単独で使用する他、両鍋を組み合わせた状態で使用できるように構成することが好ましい（特許文献１）。
【０００５】
また、簡便な加熱調理を可能にするためには、電磁調理器に対応できるように構成することが好ましい（特許文献２及び３）。
【先行技術文献】
【特許文献】
【０００６】
【特許文献１】特許第３８９８５０６号公報
【特許文献２】特開平９−１７５６３号公報
【特許文献３】特開平８−２７３８１９号公報
【考案の概要】
【考案が解決しようとする課題】
【０００７】
本考案の課題は、無水調理を可能とする調理鍋セットにおいて、浅底の小鍋本体の開口部を蓋体により施蓋した第１使用態様と、深底の大鍋本体の開口部を蓋体により施蓋した第２使用態様と、大鍋本体と小鍋本体を相互に開口部を突き合わせた第３使用態様を選択することができ、しかも、それぞれの使用態様において、鍋の内部空間を好適に密閉できると共に、不使用時において、蓋体を好適に格納できるようにした調理鍋セットを提供する点にある。
【課題を解決するための手段】
【０００８】
そこで、本考案が第１の手段として構成したところは、円形の開口部を有する深底の大鍋本体と、円形の開口部を有する浅底の小鍋本体と、円形の開口部を有する皿状の蓋体により構成され、小鍋本体の開口部を蓋体により施蓋した第１使用態様と、大鍋本体の開口部を蓋体により施蓋した第２使用態様と、大鍋本体と小鍋本体を相互に開口部を突き合わせた第３使用態様を選択可能とする調理鍋セットであり、円形とされた大鍋本体と小鍋本体と蓋体の径方向Ｒと軸方向Ｘに関して、大鍋本体は、内径Ｒ２とされた開口縁部により外径Ｒ１とされた座部を形成すると共に、前記内径Ｒ２とされた座部の内周部に軸方向Ｘに延びる嵌合面を形成し、小鍋本体は、内径Ｒ６とされた開口縁部により外径Ｒ５とされた突壁を形成すると共に、該突壁の外周部の軸方向Ｘに偏位した位置に外径Ｒ４とされた座部を形成し、前記突壁の外径Ｒ５をＲ５≦Ｒ２かつＲ２−Ｒ５＜Ｒ１−Ｒ２に形成しており、前記第３使用態様において、小鍋本体の突条を大鍋本体の嵌合面に内嵌すると共に、両鍋本体の座部を相互に当接するように構成して成る点にある。
【０００９】
また、本考案が第２の手段として構成したところは、円形の開口部を有する深底の大鍋本体と、円形の開口部を有する浅底の小鍋本体と、円形の開口部を有する皿状の蓋体により構成され、小鍋本体の開口部を蓋体により施蓋した第１使用態様と、大鍋本体の開口部を蓋体により施蓋した第２使用態様と、大鍋本体と小鍋本体を相互に開口部を突き合わせた第３使用態様を選択可能とする調理鍋セットであり、円形とされた大鍋本体と小鍋本体と蓋体の径方向Ｒと軸方向Ｘに関して、大鍋本体は、内径Ｒ２とされた開口縁部により外径Ｒ１とされた座部を形成すると共に、前記内径Ｒ２とされた座部の内周部に軸方向Ｘに延びる嵌合面を形成し、更に、該嵌合面から内側に向けて内径Ｒ３とされた段部を形成し、小鍋本体は、内径Ｒ６とされた開口縁部により外径Ｒ５とされた突壁を形成すると共に、該突壁の外周部の軸方向Ｘに偏位した位置に外径Ｒ４とされた座部を形成し、前記突壁の外径Ｒ５をＲ５≦Ｒ２かつＲ２−Ｒ５＜Ｒ１−Ｒ２に形成しており、蓋体は、内径Ｒ９とされた開口縁部により外径Ｒ８とされた突条を形成し、該突条の外周部の軸方向Ｘに偏位した位置に外径Ｒ７とされた載置部を形成すると共に、該外径Ｒ７とされた載置部の外周面により被嵌周条を形成し、前記突条の外径Ｒ８をＲ８≦Ｒ６かつＲ８≦Ｒ３に形成すると共に、前記被嵌周条の外径Ｒ７をＲ７≦Ｒ２に形成しており、前記第１使用態様において、蓋体の突条が小鍋本体の突壁に内嵌されると共に、蓋体の載置部が小鍋本体の突壁に載置されるように構成し、前記第２使用態様において、蓋体の被嵌周条が大鍋本体の嵌合面に内嵌されると共に、蓋体の載置部が大鍋本体の段部に載置されるように構成し、前記第３使用態様において、小鍋本体の突条を大鍋本体の嵌合面に内嵌すると共に、両鍋本体の座部を相互に当接するように構成して成る点にある。
【００１０】
本考案の好ましい実施形態は、不使用状態において、開口部を突き合わせた大鍋本体と小鍋本体の間に蓋体を格納するように構成されており、格納された蓋体の被嵌周条を大鍋本体の嵌合面に内嵌すると共に段部に係止するように構成している。
【考案の効果】
【００１１】
本考案によれば、無水調理を可能とする調理鍋セットにおいて、浅底の小鍋本体２の開口部２ａを蓋体３により施蓋した第１使用態様Ｕ１と、深底の大鍋本体１の開口部１ａを蓋体３により施蓋した第２使用態様Ｕ２と、大鍋本体１と小鍋本体２を相互に開口部１ａ、２ａを突き合わせた第３使用態様Ｕ３を選択することができ、しかも、それぞれの使用態様において、鍋の内部空間を好適に密閉できると共に、不使用時において、蓋体３を大鍋本体１と小鍋本体２の間に格納した不使用保管態様Ｕ４を可能にした調理鍋セットを提供することができるという効果がある。
【図面の簡単な説明】
【００１２】
【図１】本考案の１実施形態を示しており、大鍋本体と小鍋本体と蓋体を分離状態で示す斜視図である。
【図２】大鍋本体を示しており、（Ａ）は開口部を上向きとした斜視図、（Ｂ）は底部を上向きとした斜視図である。
【図３】小鍋本体を示しており、（Ａ）は開口部を上向きとした斜視図、（Ｂ）は底部を上向きとした斜視図である。
【図４】大鍋本体と小鍋本体と蓋体を分離状態で示す断面図である。
【図５】小鍋本体の開口部を蓋体により施蓋した第１使用態様を示しており、（Ａ）は全体を示す断面図、（Ｂ）は要部を拡大して示す断面図である。
【図６】大鍋本体の開口部を蓋体により施蓋した第２使用態様を示しており、（Ａ）は全体を示す断面図、（Ｂ）は要部を拡大して示す断面図である。
【図７】大鍋本体と小鍋本体を相互に開口部を突き合わせた第３使用態様を示しており、（Ａ）は全体を示す断面図、（Ｂ）は要部を拡大して示す断面図である。
【図８】不使用時において、開口部を突き合わせた大鍋本体と小鍋本体の間に蓋体を格納した不使用保管態様を示しており、（Ａ）は全体を示す断面図、（Ｂ）は要部を拡大して示す断面図である。
【図９】蓋体の別の実施形態を示しており、（Ａ）は蓋体の要部を拡大して示す断面図、（Ｂ）は第１使用態様を示す断面図、（Ｃ）は第２使用態様を示す断面図、（Ｄ）は蓋体の格納状態を示す断面図である。
【考案を実施するための形態】
【００１３】
以下図面に基づいて本考案の好ましい実施形態を詳述する。
【００１４】
［調理鍋セット］
図１に示すように、調理鍋セットは、常態における上部に円形の開口部１ａを有する深底の大鍋本体１と、常態における上部に円形の開口部２ａを有する浅底の小鍋本体２と、常態における下部に円形の開口部３ａを有する下向き皿状の蓋体３により構成されており、小鍋本体２の開口部２ａを蓋体３により施蓋した第１使用態様Ｕ１（図５参照）と、大鍋本体１開口部１ａを蓋体３により施蓋した第２使用態様Ｕ２（図６参照）と、大鍋本体１と小鍋本体２を相互に開口部１ａ、２ａを突き合わせた第３使用態様（図７参照）と、不使用状態において、開口部１ａ、２ａを突き合わせた大鍋本体１と小鍋本体２の間に蓋体３を格納した不使用保管態様Ｕ４を選択可能とするように構成されている。
【００１５】
図２に示すように、大鍋本体１は、アルミ合金により分厚い底壁１ｂと周壁１ｃを備えたボール状の鍋を形成し、周壁１ｃの直径方向の２個所に位置して上縁近傍から外側に張り出す一対の把手１ｄ、１ｄを設けている。この際、電磁調理器の加熱コイルによる誘導加熱を可能にするため、合金の組成により底壁１ｂに磁性を持たせたり、又は底壁１ｂに磁性金属板（図示省略）を埋設又は添設したりすることが好ましく、電磁調理器の鍋載置面に対して空隙を形成するための凹凸部１ｅを底壁１ｂの底面に設けることが好ましい。
【００１６】
図３に示すように、小鍋本体２は、大鍋本体１と同様に、アルミ合金により分厚い底壁２ｂと周壁２ｃを備えたボール状の鍋を形成し、周壁２ｃの直径方向の２個所に位置して上縁近傍から外側に張り出す一対の把手２ｄ、２ｄを設けている。この際、電磁調理器の加熱コイルによる誘導加熱を可能にするため、合金の組成により底壁２ｂに磁性を持たせたり、又は底壁２ｂに磁性金属板（図示省略）を埋設又は添設したりすることが好ましく、電磁調理器の鍋載置面に対して空隙を形成するための凹凸部２ｅを底壁２ｂの底面に設けることが好ましい。
【００１７】
［大鍋本体と小鍋本体］
図４に示すように、平面視を円形とされた大鍋本体１は、径方向Ｒと軸方向Ｘに関して、内径Ｒ２とされた開口縁部により外径Ｒ１とされた座部４を形成すると共に、前記内径Ｒ２とされた座部４の内周部に軸方向Ｘに延びる嵌合面５を形成し、更に、該嵌合面５の下端から内側に向けて内径Ｒ３とされた段部６を形成している。
【００１８】
また、図４に示すように、平面視を円形とされた小鍋本体２は、径方向Ｒと軸方向Ｘに関して、内径Ｒ６とされた開口縁部により外径Ｒ５とされた突壁７を形成すると共に、該突壁７の外周部の軸方向Ｘに偏位した位置（図示の下方位置）に外径Ｒ４とされた座部８を形成している。
【００１９】
図示実施形態の場合、大鍋本体１の座部４の外径Ｒ１及び内径Ｒ２と、小鍋本体２の座部８の外径Ｒ４及び内径Ｒ５は、相互に概ね等しい、つまり、Ｒ１＝Ｒ４、Ｒ２＝Ｒ５となるように構成されており、従って、図７に示す第３使用態様Ｕ３としたとき、両鍋本体１、２の座部４、８が重なり合って当接する。
【００２０】
そして、小鍋本体２の突壁７の外径Ｒ５は、大鍋本体１の嵌合面５の内径Ｒ２に対し、Ｒ５≦Ｒ２となるように形成されており、従って、図７に示す第３使用態様Ｕ３としたとき、小鍋本体２の突壁７が大鍋本体１の嵌合面５に内嵌される。
【００２１】
この際、前記大鍋本体１の嵌合面５の内径Ｒ２と小鍋本体２の突壁７の外径Ｒ５の差（Ｒ２−Ｒ５）、つまり、嵌合された嵌合面５と突壁７のクリアランスＬ１（図７（Ｂ）参照）は、前記座部４の外径Ｒ１と内径Ｒ２の差（Ｒ１−Ｒ２）、つまり、該座部４の径方向の幅Ｌ２（図７（Ｂ）参照）よりも小さい、即ち、Ｌ１＜Ｌ２となるように構成されている。従って、第３使用態様Ｕ３としたとき、大鍋本体１と小鍋本体２は、前記クリアランスＬ１により、相互に横ずれ移動が可能であるが、幅Ｌ２とされた座部４、８が相互に分離することはなく、常に座部４、８を当接させた状態を維持する。
【００２２】
［蓋体と小鍋本体及び大鍋本体］
蓋体３は、図１ないし図８に示す実施形態の場合、アルミ合金により分厚い天蓋状の皿壁３ｂを形成すると共に、中央部に摘み片３ｃを設けている。図４に示すように、開口部３ａを下向きとする平面視が円形の蓋体３は、径方向Ｒと軸方向Ｘに関して、内径Ｒ９とされた開口縁部により外径Ｒ８とされた突条９を形成し、該突条９の外周側に外径Ｒ７とされた被嵌周条１０を突出状に周設しており、該被嵌周条１０の下側面に第１載置部１１を形成すると共に、上側面に第２載置部１２を形成している。この際、第１載置部１１は、前記突条９の外周部の軸方向Ｘに偏位した位置（図示の上方位置）に形成されている。
【００２３】
蓋体３の突条９の外径Ｒ８は、小鍋本体２の突壁７の内径Ｒ６に対し、Ｒ８≦Ｒ６となるように形成されており、従って、図５に示す第１使用態様Ｕ１としたとき、蓋体３の突条９が小鍋本体２の突壁７に内嵌され、蓋体３の載置部１０が小鍋本体２の突壁７に載置される。
【００２４】
また、蓋体３の載置面１０の外周面により形成された被嵌周条１１の外径Ｒ７は、大鍋本体１の嵌合面５の内径Ｒ２と段部６の内径Ｒ３に対し、Ｒ３＜Ｒ７≦Ｒ２となるように形成されており、従って、図６に示す第２使用態様Ｕ２としたとき、蓋体３の被嵌周条１１が大鍋本体１の嵌合面６に内嵌され、蓋体３の載置部１０が大鍋本体１の段部６に載置される。
【００２５】
更に、図８に示す不使用保管態様Ｕ４としたとき、大鍋本体１の嵌合面５には、開口部２ａを下向きと下小鍋本体２の突壁７と、開口部３ａを上向きとした蓋体３の被嵌周条１１が内嵌されるように構成されている。即ち、軸方向Ｘに関して、大鍋本体１の嵌合面５の長さＴ１は、小鍋本体２の突壁７の長さＴ２と蓋体３の被嵌周条１１の長さＴ３の合計よりも大きい、つまり、Ｔ２＋Ｔ３≦Ｔ１となるように形成されている。
【００２６】
上述のように、調理鍋セットは、小鍋本体２の開口部２ａを蓋体３により施蓋した第１使用態様Ｕ１（図５参照）と、大鍋本体１開口部１ａを蓋体３により施蓋した第２使用態様Ｕ２（図６参照）と、大鍋本体１と小鍋本体２を相互に開口部１ａ、２ａを突き合わせた第３使用態様（図７参照）と、不使用状態において、開口部１ａ、２ａを突き合わせた大鍋本体１と小鍋本体２の間に蓋体３を格納した不使用保管態様Ｕ４を選択可能としている。
【００２７】
［第１使用態様］
少量の食材を加熱調理する場合は、図５に示す第１使用態様Ｕ１のように、浅底とされた小鍋本体２に野菜等の食材を少量だけ収容すると共に、蓋体３により施蓋し、水を加えず又は少量の水で茹でることができ、これにより、食材に含まれているビタミン類が壊れたり、溶け出したりし難く、鮮やかな色を保った状態で調理することができる。
【００２８】
この場合、図５（Ｂ）に示すように、蓋体３の突条９が小鍋本体２の突壁７の内周に内嵌されると共に、蓋体３の第１載置部１１が小鍋本体２の突壁７に載置されているので、良好な密閉状態を維持しながら、食材の加熱調理を好適に行うことができる。
【００２９】
［第２使用態様］
比較的多量の食材を加熱調理する場合は、図６に示す第２使用態様Ｕ２のように、深底とされた大鍋本体１に野菜等の食材を所望の量だけ収容すると共に、蓋体３により施蓋し、水を加えず又は少量の水で茹でることができ、これにより、食材に含まれているビタミン類が壊れたり、溶け出したりし難く、鮮やかな色を保った状態で調理することができる。
【００３０】
この場合、図６（Ｂ）に示すように、蓋体３の被嵌周条１１が大鍋本体１の嵌合面５に内嵌されると共に、蓋体３の第１載置部１１が大鍋本体１の段部６に載置されているので、良好な密閉状態を維持しながら、食材の加熱調理を好適に行うことができる。
【００３１】
［第３使用態様］
更に大量の食材を加熱調理する場合は、図７に示す第３使用態様Ｕ３のように、大鍋本体１と小鍋本体２を相互に開口部１ａ、２ａを突き合わせ、図示のように大鍋本体１を下側に配置した状態で、内部に野菜等の食材を十分な量だけ収容し、水を加えず又は少量の水で茹でることができ、その場合も、食材に含まれているビタミン類が壊れたり、溶け出したりし難く、鮮やかな色を保った状態で調理することができる。
【００３２】
この場合、図７（Ｂ）に示すように、開口部２ａを下向きとされた小鍋本体２の突壁７が大鍋本体１の嵌合面５に内嵌されると共に、両鍋本体２、３の座部８、４が重ね合わせられた状態で当接しているので、良好な密閉状態を維持しながら、食材の加熱調理を好適に行うことができる。この際、上述のように、嵌合面５と突壁７のクリアランスＬ１と座部４、８の径方向の幅Ｌ２は、Ｌ１＜Ｌ２となるように形成されているので、両鍋本体１、２が前記クリアランスＬ１に相当して横ずれ移動する場合でも、常に座部４、８を当接させた密閉状態が維持される。
【００３３】
［不使用保管態様］
調理鍋セットを使用せず保管する場合は、図８に示す不使用保管態様Ｕ４のように、開口部１ａを上向きとした大鍋本体１に対して、開口部３ａを上向きとした蓋体３を落とし込めば、蓋体３の被嵌周条１１が大鍋本体１の嵌合面５に内嵌されると共に、該被嵌周条１１の第２載置部１２が段部６に係止する。そこで、開口部２ａを下向きとした小鍋本体２を大鍋本体１の上に載せると、小鍋本体２の突壁７が大鍋本体１の嵌合面５と蓋体３の突条９の間に嵌入されると共に、小鍋本体２の座部８が大鍋本体１の座部４に載置され、大鍋本体１と小鍋本体２と蓋体３の３者がガタツキのない状態で組付けられる。
【００３４】
［蓋体の別の実施形態］
図９は、蓋体３の別の実施形態を示しており、蓋体３は、耐熱ガラス等のガラスにより分厚い天蓋状の皿壁３ｂを形成すると共に、中央部に摘み片３ｃを設けており、皿壁３ｂの周囲に装着した金属製のリム１３により、上述の機能を備えた突条９、被嵌周条１０、第１載置部１１、第２載置部１２を形成している。従って、これにより、図９（Ｂ）に示すような第１使用態様Ｕ１と、図９（Ｃ）に示すような第２使用態様Ｕ２と、図９（Ｄ）に示すような不使用保管態様Ｕ４と、第３使用態様（図９（Ｄ）の状態で蓋体３を取り除けば第３使用態様Ｕ３となる）が可能である。
【符号の説明】
【００３５】
１  大鍋本体
１ａ  開口部
１ｂ  底壁
１ｃ  周壁
１ｄ  把手
１ｅ  凹凸部
２  小鍋本体
２ａ  開口部
２ｂ  底壁
２ｃ  周壁
２ｄ  把手
２ｅ  凹凸部
３  蓋体
３ａ  開口部
３ｂ  皿壁
４  大鍋本体の座部
５  大鍋本体の嵌合面
６  大鍋本体の段部
７  小鍋本体の突壁
８  小鍋本体の座部
９  蓋体の突条
１０  蓋体の被嵌周条
１１  蓋体の第１載置部
１２  蓋体の第２載置部
１３  リム
【図１】
0003193721.tif 000003
【図２】
0003193721.tif 000004
【図３】
0003193721.tif 000005
【図４】
0003193721.tif 000006
【図５】
0003193721.tif 000007
【図６】
0003193721.tif 000008
【図７】
0003193721.tif 000009
【図８】
0003193721.tif 000010
【図９】
0003193721.tif 000011